(57)【要約】      （修正有）【課題】リーダ装置をそれぞれ必要と考えられる箇所に膨大な数を設置しなくても、個人が携帯している端末装置がリーダ装置の役割を果たしながら所持者と共に移動するため、あらゆる箇所においてリーダ装置の役割を果たすことができるようにする。【解決手段】受信範囲が調節可能であり、その受信した情報を記録し保存する記憶部４を備え、個人識別用の情報を受信して記憶することを特徴とする端末装置１、及び該端末装置を使用した防犯システムである。【選択図】図１
2008234529.tif 000002
【特許請求の範囲】
【請求項１】
個人識別用の情報を含んだ電波を受信する受信部を備えた携帯可能な端末装置であって、前記端末装置は受信範囲が調節可能であり、その受信した情報を記録し保存する記憶部を備え、個人識別用の情報を受信して記憶することを特徴とする端末装置、及び該端末装置を使用した防犯システム。
【請求項２】
前記端末装置は電波を送信する範囲を調節可能な送信部を備えたことを特徴とする請求項１に記載の端末装置、及び該端末装置を使用した防犯システム。
【請求項３】
前記端末装置は、送信範囲を設定した電波を発信して一定範囲に存在する送受信部を備えた他の端末装置に対して個人識別用の情報を含んだ電波の発信を促すことができることを特徴とする請求項２に記載の端末装置、及び該端末装置を使用した防犯システム。
【請求項４】
前記端末装置は受信し記録した情報を、定時的又は任意的に他の基地局や端末装置に送信できることを特徴とする請求項１乃至請求項３の何れか１項に記載の端末装置、及び該端末装置を使用した防犯システム。
【請求項５】
前記端末装置に設けられた記憶部は、その記憶内容を選択して削除するか、又は、一定量の記憶量を上回る場合、保存された古い記憶から順次削除して新しい記録を保存することができることを特徴とする請求項１乃至請求項４の何れか１項に記載の端末装置、及び該端末装置を使用した防犯システム。
【請求項６】
前記端末装置は一定時間を経過しても何らかの操作も行われないときには、記憶部に保存した情報を予め決められた送信先に対して自動的に送信することを特徴とする請求項２乃至５のいずれか１項に記載の端末装置、及び該端末装置を使用した防犯システム。
【請求項７】
前記端末装置は、時計、指輪、ネックレスなど装飾品で身に付ける物や、ブローチ、ネクタイピンなど装飾品で衣服に付ける物に組み込まれた端末装置、携帯電話または携帯情報端末（ＰＤＡ）の何れか、又は何れか組み合わせて行使されていることを特徴とする請求項１乃至６の何れかに記載の端末装置、及び該端末装置を使用した防犯システム。
【請求項８】
受信した電波で発電し、発電した電力を電源として用いることを特徴とする請求項１乃至請求項７の何れか１項に記載の端末装置、及び該端末装置を使用した防犯システム。
【請求項９】
前記個人識別用の情報として、携帯電話機と基地局との間で交信する位置確認用の信号を用いたことを特徴とする請求項１乃至請求項８の何れか１項に記載の端末装置、及び該端末装置を使用した防犯システム。
【請求項１０】
前記位置確認用の信号の交信を妨げる妨害電波を感知した場合には、自動的に自らが発信する位置確認用の信号の出力を上げて発信する機能を備えていることを特徴とする請求項９に記載の端末装置、及び該端末装置を使用した防犯システム。
【発明の詳細な説明】
【技術分野】
【０００１】
本発明は、行方不明者、犯罪者、犯罪被害者、認知症患者、不審者、及び子供等の所在探知、行動履歴検証用等に用いて好適な端末装置、及び端末装置を使用した防犯システムに関するものである。
【背景技術】
【０００２】
特許文献１には、防犯システムが記載されている。
【特許文献１】特開２００３−７７０７２
【０００３】
特許文献１には、車両等の対象物に防犯タグを貼付し、防犯タグから出力された電波をリーダ装置で受信する構成になっている。防犯タグからは、防犯タグが貼付されている車両を特定する情報が電波の形態で出力されるように構成されている。又、リーダ装置は電柱や建物の壁面等のような各所に配置されるようになっている。
【０００４】
そして、車両が盗難にあった場合、車両に貼付されている防犯タグから出力される情報をリーダ装置で読み取り、この情報を読み取ったリーダ装置の設置されている個所を知ることによって、盗難車両の所在を捜索することができる。
【発明の開示】
【発明が解決しようとする課題】
【０００５】
前述の背景技術を利用し、人間の携帯物や衣服等に防犯タグを予め取り付けておくことによって、行方不明者、犯罪者、犯罪被害者、認知症患者、子供の行動履歴を調査しようとすることは原理的には可能であるとしても、このような手法においては以下の問題があった。
【０００６】
各種犯罪が行われる箇所として、都会の路地裏やマンション・アパートの密室、公共の乗り物内をはじめ、地方の河川や山林など人目に触れにくい箇所を考えるとリーダ装置を設置する箇所が膨大な数にとなり、その維持管理にも莫大な費用を要する。
【０００７】
事件、事故の当事者である犯罪者、不審者、被害者、又は行方不明となった認知症患者、子供などの所在履歴を探るために前述のリーダ装置の設置する箇所を考えるとリーダ装置の設置数とそれにかかる費用が膨大となり現実的ではない。
【０００８】
又、野ざらし状態のリーダ装置は、風雨等の自然環境の影響によっても故障する危惧があった。
【０００９】
本発明は、前記背景技術の問題点に鑑みて成されたもので、その目的は、リーダ装置をそれぞれ必要と考えられる箇所に膨大な数を設置しなくても、個人が携帯している端末装置がリーダ装置の役割を果たしながら所持者と共に移動するため、あらゆる箇所においてリーダ装置の役割を果たすことができ、しかも、例えば、携帯電話機型の端末装置である場合、電波が基地局から届かない場所であっても端末装置間での情報の送受信は可能であるため、情報の記録を端末装置内に保存することができる端末装置を提供すると共に、この端末装置を使用することで犯罪者の特定や行方不明者の足取りを探る防犯システムを提供することにある。
【課題を解決するための手段】
【００１０】
請求項１に記載の発明は、個人識別用の情報を含んだ電波を受信する受信部を備えた携帯可能な端末装置であって、前記端末装置は受信範囲が調節可能であり、その受信した情報を記録し保存する記憶部を備え、個人識別用の情報を受信して記憶することを特徴とする端末装置、及び該端末装置を使用した防犯システムである。
【００１１】
請求項２に記載の発明は、請求項１に記載の端末装置、及び防犯システムにおいて、前記端末装置は電波を送信する範囲を調節可能な送信部を備えたことを特徴とするものである。
【００１２】
請求項３に記載の発明は、請求項２に記載の端末装置、及び防犯システムにおいて、前記端末装置は、送信範囲を設定した電波を発信して一定範囲に存在する送受信部を備えた他の端末装置に対して個人識別用の情報を含んだ電波の発信を促すことができることを特徴とするものである。
【００１３】
請求項４に記載の発明は、請求項１乃至請求項３の何れか１項に記載の端末装置、及び防犯システムにおいて、前記端末装置は、受信し記録した情報を、定時的又は任意的に他の基地局や端末装置に送信できることを特徴とするものである。
【００１４】
請求項５に記載の発明は、請求項１乃至請求項４の何れか１項に記載の端末装置、及び防犯システムにおいて、前記端末装置に設けられた記憶部は、その記憶内容を選択的に削除するか、又は、一定量の記憶量を上回る場合、保存された古い記憶から順次削除して新しい記録を保存することができることを特徴とするものである。
【００１５】
請求項６に記載の発明は、請求項２乃至請求項５の何れか１項に記載の端末装置、及び防犯システムにおいて、前記端末装置は一定時間を経過しても何らかの操作も行われないときには、記憶部に保存した情報を予め決められた送信先に対して自動的に送信することを特徴とするものである。
【００１６】
請求項７に記載の発明は、請求項１乃至請求項６の何れか１項に記載の端末装置、及び防犯システムにおいて、前記端末装置は、時計、指輪、ネックレスなど装飾品で身に付ける物や、ブローチ、ネクタイピンなど装飾品で衣服に付ける物に組み込まれた端末装置、携帯電話または携帯情報端末（ＰＤＡ）の何れか、又は何れか組み合わせて行使されていることを特徴とするものである。
【００１７】
請求項８に記載の発明は、請求項１乃至請求項７の何れか１項に記載の端末装置、及び防犯システムにおいて、受信した電波で発電し、発電した電力を電源として用いることを特徴とするものである。
【００１８】
請求項９に記載の発明は、請求項１乃至請求項８の何れか１項に記載の端末装置、及び防犯システムにおいて、個人識別用の情報として、携帯電話機と基地局との間で交信する位置確認用の信号を用いたことを特徴とするものである。
【００１９】
請求項１０に記載の発明は、請求項９に記載の端末装置、及び防犯システムにおいて、位置確認用の信号の交信を妨げる妨害電波を感知した場合には、自動的に自らが発信する位置確認用の信号の出力を上げて発信する機能を備えていることを特徴とするものである。
【発明の効果】
【００２０】
請求項１に記載の発明によれば、自己が所有する端末装置は、接近した他人の所有する端末装置から出力された個人識別用の情報を記憶部に保存することができるため、記憶部の内容を検索することによって、自己に接近した他人を識別することができる。
【００２１】
請求項２に記載の発明によれば、送信部から送信される電波の到達できる範囲を調節することができる。
【００２２】
請求項３に記載の発明によれば、自己に接近した他人の所有する端末装置から個人識別用の情報を出力させることができる。
【００２３】
請求項４に記載の発明によれば、端末装置に保存されている個人識別用の情報を基地局や所定の端末装置へ送信することができる。
【００２４】
請求項５に記載の発明によれば、記憶部は、使用者が記憶された情報を選択して削除したり、自動的に古い記憶から順次削除されて新しい記憶に更新されることができる。
【００２５】
請求項６に記載の発明によれば、記憶部の内容は一定時間の経過後に一定の送信先に送信される。このため、記憶部の内容は、一定の送信先において、例えば、一括管理されることができる。
【００２６】
請求項７に記載の発明によれば、端末装置を、身に付ける装飾品や、衣服に付ける装飾品に忍ばせて組み込んだり、携帯電話機又は携帯情報端末（ＰＤＡ）に組み込むことができる。
【００２７】
請求項８に記載の発明によれば、受信した電波で発電し、発電した電力を電源として用いるため、電源の節約に寄与することができる。
【００２８】
請求項９に記載の発明によれば、携帯電話機と基地局との間で交信している位置確認用の信号を用いて自己に接近した他人を識別することができる。
【００２９】
請求項１０に記載の発明によれば、妨害電波に妨げられることなく、自己に接近した他人を識別することができる。
【発明を実施するための最良の形態】
【００３０】
図１は本発明の構成を示すブロック構成図である。本発明に係る端末装置１は、携帯電話機や携帯情報端末（ＰＤＡ）等内に別途組み込むことができる。
【００３１】
図１に示すように、本発明の端末装置１は、送信部２と受信部３と記憶部４と直流電源５を備え、これら送信部２，受信部３、及び記憶部４は、互いに直流電源５に並列接続されて、電源５から駆動電力が給電されるようになっている。電源５は携帯電話機や携帯情報端末等に本来的に備えられている電源を共用することができる。前記電源５と、前記送信部２、受信部３、及び記憶部４との間には、開閉スイッチ６が設けられている。開閉スイッチ６は、手動によって開閉できるようにすることによって、必要に応じて、開閉スイッチ６を閉じて前記送信部２、受信部３、及び記憶部４を作動させるようにすることができる。前記送信部２、受信部３は前記記憶部４に予め格納されているプログラムによって所定の動作をするように設定されている。
【００３２】
前記送信部２は、個人を特定するコード等のような個人識別用の情報で所定周波数の搬送波を変調してアンテナ７から出力するようになっている。ここで、変調には、周波数変調、位相変調、直交振幅変調等がある。
【００３３】
個人を特定する情報は、前記記憶部４に保存されている。個人を特定する情報としては、各個人毎に与えられた数字等の記号が該当する。又、前記アンテナ７としては、携帯電話機や携帯情報端末等に本来的に備えられているアンテナを共用できる。
【００３４】
送信部２は、電力調節部８を備えている。電力調節部８は、電源５から送信部２に供給される電力の大小を調節できるように構成されている。電源５から送信部２に供給される電力の大小が電力調節部８で調節されることによって、送信部２から出力される電波の伝播範囲を半径数メートルから１０メートルの範囲内に制限することができる。又、送信部２から送信される電波の伝播範囲を半径数メートルから１０メートルの範囲内のように狭い範囲内に制限することによって電波法の適用を受けることなく本発明を実施することができる。
【００３５】
前記受信部３は、本人以外の人間が保有する端末装置１の送信部２から送信される電波を受信して個人識別用の情報を復調する機能を有している。受信部３で復調された個人識別用の情報は、記憶部４に保存されるように構成されている。記憶部４は、ＲＡＭで構成され、且つ、数百人分程度の個人識別用の情報を記憶できる記憶容量を有している。記憶部４は、その記憶内容を使用者が選択して削除するか、又は、記憶容量が満たされた後においては、最初に記憶部４に記憶されている個人識別用の情報から順次更新される構成になっている。
【００３６】
前記記憶部４に記憶されている記憶内容は、一定時間が経過しても何らの操作も行われない時に、送信部２に出力され、送信部２において、この記憶内容で所定周波数の搬送波を変調してアンテナ７から送信できるようにすることができる。この場合、搬送波の周波数として所定の周波数を選択することによって、前記記憶部４の記憶内容が、基地局や所定の端末装置にのみ送信されて、これら基地局や所定の端末装置に備えられている記憶部（図示せず）に保存されるようにすることできる。前記記憶部４の記憶内容は、例えば、携帯電話機のメール機能を利用して送信することができる。
【００３７】
前述のように、端末装置１の記憶部４の内容が、基地局や所定の端末装置の記憶部に保存されるようにした場合には、基地局や所定の端末装置の記憶部には、個人識別用の情報と個人名等とが照合できるようにして保存されるものとする。
【００３８】
前記開閉スイッチ６はスイッチ制御部９によって閉じるようにすることができる。この場合、送信部２が他人の所有する端末装置１に信号を送信し、この信号を受信した他人の端末装置１の受信部３がスイッチ制御部９を制御して開閉スイッチ６を閉じるようにすることによって、他人の所有する端末装置１を作動させるようにすることができる。
【００３９】
次に、作用について説明する。開閉スイッチ６を閉じることによって、送信部２、受信部３、及び記憶部４を作動状態にする。又、電力調節部８を操作することによって、送信部２に供給される電力の大小を調節する。送信部２は、記憶部４に記憶されている個人識別用の情報で所定周波数の搬送波を変調してアンテナ７から周囲へ出力する。
【００４０】
例えば、この状態の端末装置１を認知症患者が所有して徘徊し、この認知症患者が、同様の端末装置１を所有する人とすれ違ったとする。以下、図２に示すように、認知症患者を第1の人間とし、認知症患者とすれ違った人間を第２の人間として説明する。第1の人間は、図２中、矢示Ａ方向へ進行し、第２の人間は図２中、矢示Ｂ方向へ進行しているとする。
【００４１】
第１の人間の端末装置１から出力された個人識別用の情報は、第２の端末装置１の受信部３で受信され、復調されて記憶部４に保存される。一方、第２の人間の端末装置１から出力された個人識別用の情報は、第1の人間の端末装置の受信部３で受信され、復調されて記憶部４に保存される。
【００４２】
その後、第１の人間が第３の人間とすれ違ったとする。この時においても、前述のように、第１の人間が第２の人間とすれ違った時と同様に、第１の人間の個人識別用の情報が、第３の人間の所有する端末装置１の記憶部４に保存される。又、第３の人間の個人識別用の情報は、第1の人間の端末装置１の記憶部４に保存される。
【００４３】
以下、同様に、第1の人間が、第4の人間、第５の人間、第６の人間、・・・に接近した場合においても、前述のようにして、互いの個人識別用の情報は、互いの所有する端末装置１の記憶部４に保存される。
【００４４】
つまり、第１の人間、第２の人間、第３の人間、第４の人間、・・・がそれぞれ所有する端末装置１の記憶部４には、互いに接近した人間の個人識別用の情報が保存されることになる。
【００４５】
そして、各人間の所有する端末装置１の記憶部４に保存されている個人識別用の情報は、送信部２で所定周波数の搬送波を変調してアンテナ７から出力される。この搬送波の周波数が基地局や所定の端末装置が受信できるように設定しておくことにより、各人間の端末装置１の記憶部４に保存されている記憶内容、即ち、個人識別用の情報は、基地局又は所定の端末装置に設けられている記憶部（図示せず）に一括して保存されることになる。
【００４６】
その結果、端末装置１の記憶部４の記憶内容を検索し、又は、前記基地局又は前記所定の端末装置の記憶部の内容を検索することによって、第１の人間と接近した第２の人間、第３の人間、第４の人間、・・・が判明することができる。
【００４７】
このため、前述のように、第1の人間が認知症患者の場合であっても、第２の人間、第３の人間、第４の人間・・・の存在していた場所、及び日時を特定することによって、第1の人間の存在していた場所、及び日時を特定して、第１の人間の足取りを追うことができる。
【００４８】
次に、第1の人間が不審者とする場合について説明する。犯罪の発生した場所の近くに第２の人間、第３の人間、第４の人間が存在し、これら第２の人間、第３の人間、第４の人間が不審者とすれ違ったとする。
【００４９】
第２の人間、第３の人間、第４の人間がすれ違った人間の個人識別用の情報は、前述のように、第２の人間、第３の人間、第４の人間の端末装置１の受信部３及び記憶部４に保存され、一定時間を経過すると、送信部２から基地局又は所定の端末装置に送信されて、基地局又は所定の端末装置の記憶部に保存されている。
【００５０】
このため、第２の人間、第３の人間、第４の人間が所有する端末装置１の記憶部４の内容を検索し、又は、前記基地局又は所定の端末装置に備えられている記憶部の内容を検索することで、第２の人間、第３の人間、第４の人間がすれ違った不審者の個人識別用の情報を知ることができて、不審者を特定することができる。このため、犯罪が起きた場合に、警察は、不審者を速やかに知ることができて、事件を早急に解決することができる。又、目撃者がいないような犯罪に巻き込まれた場合であっても、端末装置には犯行時間と思われる時間帯に接近した相手方人物を特定する情報が記録してあるため、犯罪者の特定をする手掛かりとなる。
【００５１】
又、住居の出入口の近傍に端末装置１を設置することで、来訪者を屋内から識別することができて、来訪者が不審者の場合にはドアを開けないようにする等の対策を採ることができる。
【００５２】
更に、泥酔者が記憶を無くした場合であっても、泥酔者が端末装置１を所有することで、端末装置１の記憶部４の内容を検索することによって、記憶を無くした途中の足取りを知ることができる。
【００５３】
前述した端末装置は、携帯電話機や、携帯情報端末（ＰＤＡ）等の他に、時計、指輪、ネックレスなどの装飾品等の身に付ける物や、ブローチ、ネクタイピンなど装飾品で衣服に付ける物に忍ばせて組み込むことができる。
【００５４】
又、発電用のコイル等を設け、この発電用のコイル等で電波を受けることによって電磁誘導の原理に基づいて発電し、発電した交流を整流回路で変換することによって得られた直流電力を、電源の代替として用いることが可能である。
【００５５】
以上説明したように、本発明に関する端末装置は各人が所有しているものであるため、前述の背景技術のように、莫大な数のリーダ装置を別途設置することによって必要な莫大な費用を削減でき、更に、リーダ装置を野ざらし状態に設置する場合に比較して、風雨等の自然環境によって故障するする危惧が無い。
【００５６】
次に、第２実施形態について説明する。第１実施形態と比較して本第２実施形態の特徴は、第１実施形態において説明した個人識別用の情報として、携帯電話に用いられている位置確認用の信号を用い、受信部３が、他人の携帯電話機から送信される位置確認用の信号を受信できるようにした点にある。
【００５７】
ここで、位置確認用の信号とは、各携帯電話機から基地局に随時、送信されることによって、各携帯電話機が現在何れの基地局の管轄エリア内に存在するかを知らせるために一般に用いられている信号である。
【００５８】
尚、前記受信部３が電波を受信できる受信感度を調節することによって、自己に対して半径数メートル、又は半径１メールの範囲内に接近した他人の携帯電話機から発せられる位置確認信号のみを受信できるように設定されているものとする。
【００５９】
本第２実施形態においても、第１実施形態と同様に、第１の人間に接近した第２の人間、第３の人間、第４の人間・・・を特定することができる。
【００６０】
又、携帯電話機と基地局との間で行われている位置確認用の信号の交信を規制するような器具が用いられるような場合には、他人の携帯電話機から出力される位置確認用の信号の出力が上がることによって、自己に接近した他人の携帯電話機から出力される位置確認用の信号を的確に受信することができるようにする。又、他人の携帯電話機に出力増幅機能が無い場合には、受信能力（請求項１に記載の受信範囲）を自動的に調節することによって、他人の携帯電話機から出力された位置確認用の信号を的確に受信することができる。
【図面の簡単な説明】
【００６１】
【図１】図１は、本発明のブロック構成図である。
【図２】図２は、作用を説明する図である。
【符号の説明】
【００６２】
１  端末装置
２  送信部
３  受信部
４  記憶部
５  電源
【図１】
2008234529.tif 000003
【図２】
2008234529.tif 000004